(57)【要約】【課題】各種電子機器に用いられるタッチパネルに関し、背面の表示素子の表示が見易く、確実な操作が可能なものを提供することを目的とする。【解決手段】上導電層１３または下導電層１５の少なくとも一方の外周縁部を、５ｍｍ以下の直線部１３Ａや１３Ｂ等が連結された凹凸状に形成することによって、上導電層１３や下導電層１５の外形が小さな直線部１３Ａや１３Ｂ等が連結された凹凸状に形成され、上導電層１３や下導電層１５の外周縁部が見えづらくなるため、背面の表示素子の表示が見易く、容易で確実な操作が可能なタッチパネルを得ることができる。【選択図】図１
2013235410.tif 000002
【特許請求の範囲】
【請求項１】
所定方向に配列された略帯状で複数の上導電層と、この上導電層と所定の間隙を空けて直交方向に配列された略帯状で複数の下導電層からなり、上記上導電層または下導電層の少なくとも一方の外周縁部を、５ｍｍ以下の直線部が連結された凹凸状に形成したタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指等でタッチパネルに触れ操作することによって、機器の様々な機能の切換えを行うものが増えており、使い易く確実な操作を行えるものが求められている。
【０００３】
このような従来のタッチパネルについて、図４を用いて説明する。
【０００４】
なお、この図面は構成を判り易くするために、部分的に寸法を拡大して表している。
【０００５】
図４は従来のタッチパネルの分解斜視図であり、同図において、１はフィルム状で光透過性の上基板で、上面には酸化インジウム錫等の光透過性で略帯状の、複数の上導電層２が前後方向に配列形成されている。
【０００６】
また、３は同じくフィルム状で光透過性の下基板で、上面には酸化インジウム錫等の光透過性で略帯状の複数の下導電層４が、上導電層２とは直交方向の左右方向に配列形成されている。
【０００７】
さらに、５は板状またはフィルム状で光透過性のカバー基板で、下基板３上面に上基板１、上基板１上面にカバー基板５が重ねられると共に、これらが各々接着剤（図示せず）等によって貼り合わされて、タッチパネルが構成されている。
【０００８】
そして、このように構成されたタッチパネルが、液晶表示素子等の表示素子の前面に配置されて電子機器に装着されると共に、複数の上導電層２や下導電層４の端部が、フレキシブル配線板やコネクタ（図示せず）等を介して、機器の電子回路（図示せず）に電気的に接続される。
【０００９】
以上の構成において、電子回路から複数の上導電層２や下導電層４へ順次電圧が印加された状態で、タッチパネル背面の表示素子の表示に応じて、カバー基板５上面を指等で触れて操作すると、この操作した箇所の上導電層２と下導電層４の間の静電容量が変化するため、これによって操作された箇所を電子回路が検出し、機器の様々な機能の切換えが行われる。
【００１０】
つまり、例えば複数のメニュー等が背面の表示素子に表示された状態で、所望のメニュー上のカバー基板５上面に指等を触れると、この指に電荷の一部が導電して、操作した箇所のタッチパネルの上導電層２と下導電層４の間の容量が変化し、これを電子回路が検出することによって、所望のメニューの選択等が行えるように構成されているものであった。
【００１１】
なお、この出願の発明に関連する先行技術文献情報としては、例えば、特許文献１が知られている。
【先行技術文献】
【特許文献】
【００１２】
【特許文献１】特開２００９−９３３９７号公報
【発明の概要】
【発明が解決しようとする課題】
【００１３】
しかしながら、上記従来のタッチパネルにおいては、複数の上導電層２や下導電層４が光透過性に形成されてはいるが、上基板１や下基板３とは光の反射率等が異なるため、タッチパネルへの光の当り方やカバー基板５を見る角度によっては、外形が略帯状で一定の幅の上導電層２や下導電層４の、長手方向の外周縁部２Ａや４Ａが直線状の筋となって見えてしまい、背面の表示素子のメニュー等の表示が見づらくなってしまう場合があるという課題があった。
【００１４】
本発明は、このような従来の課題を解決するものであり、背面の表示素子の表示が見易く、確実な操作が可能なタッチパネルを提供することを目的とする。
【課題を解決するための手段】
【００１５】
上記目的を達成するために本発明は、上導電層または下導電層の少なくとも一方の外周縁部を、５ｍｍ以下の直線部が連結された凹凸状に形成してタッチパネルを構成したものであり、上導電層や下導電層の外形が小さな直線部が連結された凹凸状に形成され、上導電層や下導電層の外周縁部が見えづらくなるため、背面の表示素子の表示が見易く、容易で確実な操作が可能なタッチパネルを得ることができるという作用を有するものである。
【発明の効果】
【００１６】
以上のように本発明によれば、背面の表示素子の表示が見易く、確実な操作が可能なタッチパネルを実現することができるという有利な効果が得られる。
【図面の簡単な説明】
【００１７】
【図１】本発明の一実施の形態によるタッチパネルの断面図
【図２】同分解斜視図
【図３】同部分平面図
【図４】従来のタッチパネルの分解斜視図
【発明を実施するための形態】
【００１８】
以下、本発明の実施の形態について、図１〜図３を用いて説明する。
【００１９】
なお、これらの図面は構成を判り易くするために、部分的に寸法を拡大して表している。
【００２０】
（実施の形態）
図１は本発明の一実施の形態によるタッチパネルの断面図、図２は同分解斜視図であり、同図において、１１はガラスやポリメチルメタクリレート、ポリカーボネート等の板状またはフィルム状で光透過性のカバー基板で、この下面には紫外線硬化性のアクリレート系樹脂や、熱硬化性のエポキシ系樹脂、アクリル系樹脂等の上接着層１２が設けられている。
【００２１】
そして、上接着層１２下面には酸化インジウム錫や酸化錫等の光透過性で略帯状の、複数の上導電層１３が前後方向に配列形成されると共に、この上導電層１３下面には上接着層１２と同様の下接着層１４が積層形成されている。
【００２２】
また、この下接着層１４下面には、上導電層１３と同様の光透過性で略帯状の複数の下導電層１５が、上導電層１３とは直交方向の左右方向に配列形成されると共に、下導電層１５下面にはポリエチレンテレフタレート等のフィルム、またはアクリル系樹脂等の保護層１６が形成されている。
【００２３】
さらに、上導電層１３の前後端や下導電層１５の右端には、一端がこれらに接続され他端が上接着層１２や下接着層１４外周右端に延出する、銀やカーボン、銅箔等の上電極や下電極（図示せず）が延出形成されている。
【００２４】
なお、複数の上導電層１３と下導電層１５は、複数の方形部が帯状に連結されて形成されると共に、これらの間には、略方形の複数の空隙部が設けられ、これらが上接着層１２や下接着層１４によって積重された状態では、各々の方形部が各々の空隙部に上下で交互に重なるように形成されている。
【００２５】
また、上導電層１３や下導電層１５の外周縁部は、図３（ａ）の部分平面図に示すように、長さ５ｍｍ以下の複数の直線部１３Ａや１３Ｂが連結され、凹凸状に形成されると共に、この前後方向に配列形成された複数の上導電層１３と、これとは直交方向の左右方向に配列形成された下導電層１５が、下接着層１４を介して所定の間隙を空けて対向配置されて、タッチパネルが構成されている。
【００２６】
そして、このように構成されたタッチパネルが、液晶表示素子等の表示素子の前面に配置されて電子機器に装着されると共に、複数の上導電層１３と下導電層１５が上電極や下電極、フレキシブル配線板やコネクタ（図示せず）等を介して、機器の電子回路（図示せず）に電気的に接続される。
【００２７】
以上の構成において、電子回路から複数の上導電層１３と下導電層１５へ順次電圧が印加された状態で、タッチパネル背面の表示素子の表示に応じて、カバー基板１１上面を指等で触れて操作すると、この操作した箇所の上導電層１３と下導電層１５の間の静電容量が変化するため、これによって操作された箇所を電子回路が検出し、機器の様々な機能の切換えが行われる。
【００２８】
つまり、例えば複数のメニュー等が背面の表示素子に表示された状態で、所望のメニュー上のカバー基板１１上面に指等を触れると、この指に電荷の一部が導電して、操作した箇所のタッチパネルの上導電層１３と下導電層１５の間の容量が変化し、これを電子回路が検出することによって、所望のメニューの選択等が行われるように構成されている。
【００２９】
また、上導電層１３や下導電層１５の外形が、５ｍｍ以下の直線部１３Ａや１３Ｂ等が連結された凹凸状に形成されているため、タッチパネルを操作する際に、これらの外周縁部が筋となって見え、背面の表示素子のメニュー等の表示の視認を妨げることのないようになっている。
【００３０】
すなわち、上導電層１３や下導電層１５の外周縁部を、５ｍｍ以下の小さな寸法の直線部１３Ａや１３Ｂ等が連結された凹凸状に形成することによって、これらと上接着層１２や下接着層１４の光の反射率等が多少異なっていた場合でも、上導電層１３や下導電層１５の外周縁部が見えづらくなるため、背面の表示素子の表示が見易くなり、容易で確実に操作が行えるように構成されている。
【００３１】
なお、以上の説明では、上導電層１３と下導電層１５の両方の外周縁部を、５ｍｍ以下の直線部１３Ａや１３Ｂ等が連結された凹凸状に形成した構成について説明したが、上導電層１３または下導電層１５の一方のみを、５ｍｍ以下の直線部が連結された凹凸状に形成した構成としても、本発明の実施は可能である。
【００３２】
また、上導電層１３や下導電層１５の外形形状を、図３（ｂ）や図３（ｃ）に示すような、複数の角形部や三角部が帯状に連結された形状に形成し、これらの５ｍｍ以下の直線部１３Ｃや１３Ｄ、１３Ｅ、１３Ｆ等を連結して、凹凸状に形成した構成としてもよい。
【００３３】
さらに、以上の説明では、カバー基板１１下面の上接着層１２下面に上導電層１３を、この下面の下接着層１４下面に下導電層１５を形成した構成について説明したが、背景技術の項で説明したように、フィルム状の上基板や下基板の上面に上導電層１３や下導電層１５を形成し、これらを接着剤で貼り合わせた構成としても、本発明の実施は可能である。
【００３４】
このように本実施の形態によれば、上導電層１３または下導電層１５の少なくとも一方の外周縁部を、５ｍｍ以下の直線部１３Ａや１３Ｂ等が連結された凹凸状に形成することによって、上導電層１３や下導電層１５の外形が小さな直線部１３Ａや１３Ｂ等が連結された凹凸状に形成され、上導電層１３や下導電層１５の外周縁部が見えづらくなるため、背面の表示素子の表示が見易く、容易で確実な操作が可能なタッチパネルを得ることができるものである。
【産業上の利用可能性】
【００３５】
本発明によるタッチパネルは、背面の表示素子の表示が見易く、確実な操作が可能なものを得ることができるという有利な効果を有し、主に各種電子機器の操作用として有用である。
【符号の説明】
【００３６】
１１  カバー基板
１２  上接着層
１３  上導電層
１３Ａ、１３Ｂ、１３Ｃ、１３Ｄ、１３Ｅ、１３Ｆ  直線部
１４  下接着層
１５  下導電層
１６  保護層
【図１】
2013235410.tif 000003
【図２】
2013235410.tif 000004
【図３】
2013235410.tif 000005
【図４】
2013235410.tif 000006